(57)【要約】  【課題】シート状の粘着剤を無駄なく使用することができる転写補助製品を提供する。  【解決手段】粘着補助製品ＡはステージＳＴに加えて、転写式粘着材料Ｔを巻回保持する巻出軸２１並びに巻取軸２２を回動可能に支持し得る巻出軸支持手段１１並びに巻取軸支持手段１２と往復動作による操作力を受け付けて巻出軸２１並びに巻取軸２２を駆動し得る駆動状態（Ｅ）と駆動する方向とは反対の方向への回動を許容する回動許容状態（Ｎ）をとり得る正方向レバー１３並びに逆方向レバー１４と、往復動作による操作力を駆動力へと変換し得る正方向駆動手段１５並びに逆方向駆動手段１６と、回動許容状態（Ｎ）を維持し得る姿勢維持手段１７とを有する巻取装置１の構造を採用しているものである。  【選択図】図１
2008001446.tif 000002
【特許請求の範囲】
【請求項１】
巻回物を基端側から巻回保持する巻出軸を回動可能に支持し得る巻出軸支持手段と、
前記巻回物の先端側を保持し且つ当該巻回物を巻取り得る巻取軸を回動可能に支持し得る巻取軸支持手段と、
前記巻回物を基端側から先端側への正方向へ移動させるための往復動作による操作力を受け付けるとともに前記巻取軸を回動させ得る駆動状態及び前記巻取軸の少なくとも前記正方向とは逆方向の回動を許容する回動許容状態をとり得る正方向操作手段と、
前記正方向操作部が受け付けた往復動作による操作力を前記巻取軸支持手段に対する前記正方向への駆動力へと変換し得る正方向駆動手段と、
前記巻回物を前記正方向とは逆方向へ移動させるための往復動作による操作力を受け付けるけるとともに前記巻出軸を回動させ得る駆動状態及び前記巻出軸の少なくとも前記正方向の回動を許容する回動許容状態をとり得る逆方向操作手段と、
前記正方向操作部が受け付けた往復動作による操作力を前記巻出軸支持手段に対する前記逆方向への駆動力へと変換し得る逆方向駆動手段と、
前記正方向操作手段及び前記逆方向操作手段を前記回動許容状態に維持し得る姿勢維持手段とを少なくとも具備することを特徴とする巻取装置。
【請求項２】
前記正方向操作手段又は前記逆方向操作手段を、回動レバーとしている請求項１記載の巻取装置。
【請求項３】
前記回動レバーを、前記操作力を受ける入力端部と、当該入力端部が受けた動作力を前記正方向駆動手段又は前記逆方向駆動手段へと伝達する伝達部と、回動中心を構成する取付軸部とを有するものとし、
前記入力端部と前記取付軸部との間の入力寸法を、前記伝達部と前記取付軸部との間の出力寸法よりも大きく設定している請求項２記載の巻取装置。
【請求項４】
前記正方向駆動手段又は前記逆方向駆動手段を歯車を有するものとするとともに前記伝達部を前記歯車に係合し得る伝達歯とし、
前記駆動状態を前記伝達歯と前記歯車とが係合している状態とするとともに、前記回動許容状態を前記伝達歯と前記歯車とが離間した状態としている請求項３記載の巻取装置。
【請求項５】
前記回動許容状態を、前記回動レバーの動作範囲における回動基端側に設定するとともに、
前記姿勢維持手段を前記回動終端側から前記回動基端側へ前記回動レバーを弾性付勢する弾性部材としている請求項４記載の巻取装置。
【請求項６】
前記正方向駆動手段又は前記逆方向駆動手段を、前記伝達歯と係合した前記歯車の往復動作のうち前記正方向又は前記逆方向の回動のみを前記巻取軸支持手段又は前記巻出軸支持手段へと伝え得る一方向クラッチ部を有するものとしている請求項４又は５記載の巻取装置。
【請求項７】
前記巻取軸支持手段又は前記巻出軸支持手段を、前記巻出軸又は前記巻取軸の一端側を支持し前記正方向駆動手段又は前記逆方向駆動手段からの駆動力を巻取軸又は巻出軸へ伝達し得る駆動力伝達部と、他端側を支持する巻取軸支持部又は巻出軸支持部とを有するものとしている請求項１、２、３、４、５又は６記載の巻取装置。
【請求項８】
前記巻取軸支持部又は前記巻出軸支持部を、節度機構を有するものとしている請求項７記載の巻取装置。
【請求項９】
前記巻取軸支持部又は前記巻出軸支持部を、前記巻取軸又は巻出軸の回動位置を保持し得る位置保持手段を有するものとしている請求項７記載の巻取装置。
【請求項１０】
少なくとも柔軟性を有し転写式粘着材料を支持して被着体を圧着する圧着面に粘着体を転写し得る被圧着転写面を形成するステージと、
前記転写式粘着材料を基端側から巻回保持する巻出軸を回動可能に支持し得る巻出軸支持手段と、
前記転写式粘着材料の先端側を保持し且つ当該転写式粘着材料を巻取り得る巻取軸を回動可能に支持し得る巻取軸支持手段と、
前記巻回物を基端側から先端側への正方向へ移動させるための往復動作による操作力を受け付けるとともに前記巻取軸を回動させ得る駆動状態及び前記巻取軸の少なくとも前記正方向とは逆方向の回動を許容する回動許容状態をとり得る正方向操作手段と、
前記正方向操作部が受け付けた往復動作による操作力を前記巻取軸支持手段に対する前記正方向への駆動力へと変換し得る正方向駆動手段と、
前記巻回物を前記正方向とは逆方向へ移動させるための往復動作による操作力を受け付けるけるとともに前記巻出軸を回動させ得る駆動状態及び前記巻出軸の少なくとも前記正方向の回動を許容する回動許容状態をとり得る逆方向操作手段と、
前記正方向操作部が受け付けた往復動作による操作力を前記巻出軸支持手段に対する前記逆方向への駆動力へと変換し得る逆方向駆動手段と、
前記正方向操作手段及び前記逆方向操作手段を前記回動許容状態に維持し得る姿勢維持手段とを少なくとも具備することを特徴とする転写補助製品。
【請求項１１】
前記巻取軸又は巻出軸の回動位置を保持し得る位置保持手段を更に有するものとしている請求項１０記載の転写補助製品。
【請求項１２】
前記位置保持手段を、前記巻取軸又は前記巻出軸に圧接する摩擦制動部としている請求項１１記載の転写補助製品。
【発明の詳細な説明】
【技術分野】
【０００１】
本発明は、粘着剤等の転写物を好適に転写し得る転写補助製品、並びに当該転写補助製品に採用し得る巻取装置に関するものである。
【背景技術】
【０００２】
従来、テープ状の粘着剤を紙などの転写対象物に好適に転写し得る転写具などの転写補助製品が広く開発されている。また粘着剤を転写する対象は、勿論紙等に限られることはなく、例えば、工業用途においては、例えば機械の組み立て作業において部品等を予め所定の位置に止着させる用途において広く用いられている。
【０００３】
そして、例えば特願２００６−０３０３４９号明細書のように、ナット等を粘着剤を所定の面に圧着することにより圧着面に粘着剤を好適に転写することができるものも開発されている。
【０００４】
また一方、粘着剤のみならず、巻出軸及び巻取軸に巻回架設した巻回物を巻出軸から巻取軸への正方向へ移動させることができる巻取装置が広く提案されている（例えば、特許文献１参照）。
【特許文献１】特開２００４−３５４８３５号公報
【発明の開示】
【発明が解決しようとする課題】
【０００５】
しかしながら、従来の転写具といった転写補助製品等では、シート状の粘着剤を一方方向に巻出すのみの構成となっている。そのため、例えば粘着剤が転写されないまま巻出されてしまった場合や、粘着剤をシートにおける一部しか転写していなかった場合では、粘着剤がシートに付着したまま巻取軸に巻き取られてしまえば巻き取られてしまった粘着剤は使うことができない。その結果として、全体として粘着剤を無駄なく有効に使うことが難しいものとなっている。
【０００６】
また勿論、巻取軸に巻き取ったシートを再び露出させて使用できなかった粘着剤を利用することは可能である。しかし、そのような使い方をする為には、簡単な操作で巻取軸に巻き取ったシート状の粘着剤を露出させ得る巻取装置の構造を採用する必要がある。
【０００７】
本発明は、このような不具合に着目したものであり、シート状の粘着剤を無駄なく使用することができる転写補助製品並びに当該転写補助製品に適用し得る巻取装置を提供する。
【課題を解決するための手段】
【０００８】
本発明は、このような目的を達成するために、次のような手段を講じたものである。すなわち、本発明に係る巻取装置は、巻回物を基端側から巻回保持する巻出軸を回動可能に支持し得る巻出軸支持手段と、前記巻回物の先端側を保持し且つ当該巻回物を巻取り得る巻取軸を回動可能に支持し得る巻取軸支持手段と、前記巻回物を基端側から先端側への正方向へ移動させるための往復動作による操作力を受け付けるとともに前記巻取軸を回動させ得る駆動状態及び前記巻取軸の少なくとも前記正方向とは逆方向の回動を許容する回動許容状態をとり得る正方向操作手段と、前記正方向操作部が受け付けた往復動作による操作力を前記巻取軸支持手段に対する前記正方向への駆動力へと変換し得る正方向駆動手段と、前記巻回物を前記正方向とは逆方向へ移動させるための往復動作による操作力を受け付けるけるとともに前記巻出軸を回動させ得る駆動状態及び前記巻出軸の少なくとも前記正方向の回動を許容する回動許容状態をとり得る逆方向操作手段と、
前記正方向操作部が受け付けた往復動作による操作力を前記巻出軸支持手段に対する前記逆方向への駆動力へと変換し得る逆方向駆動手段と、前記正方向操作手段及び前記逆方向操作手段を前記回動許容状態に維持し得る姿勢維持手段とを少なくとも具備することを特徴としている。
【０００９】
このようなものであれば、正方向駆動手段並びに逆方向駆動手段による往復動作といった単純な動作を正方向並びに逆方向の駆動力へと好適に伝達することがすることができる。しかも、他方の駆動手段による駆動に一方の駆動手段が干渉することを有効に回避することができる。
【００１０】
精度の高い動作を実現するとともに往復動作による操作力を、巻出軸駆動手段又は巻出軸駆動手段の回転動作へと変換し易い構成とするためには、正方向操作手段又は逆方向操作手段を、回動レバーとすることが望ましい。
【００１１】
小さい操作力をより大きな駆動力へと変換し得るものとして、より軽い操作感を与えうる構成をするためには、回動レバーを、操作力を受ける入力端部と、入力端部が受けた動作力を正方向駆動手段又は逆方向駆動手段へと伝達する伝達部と、回動中心を構成する取付軸部とを有するものとし、入力端部と取付軸部との間の入力寸法を、伝達部と取付軸部との間の出力寸法よりも大きく設定することが好ましい。
【００１２】
正方向駆動状態又は逆方向駆動状態と回動許容状態とを好適に切り換えうる構成とするためには、正方向駆動手段又は逆方向駆動手段を歯車を有するものとするとともに伝達部を歯車に係合し得る伝達歯とし、正方向駆動状態又は逆方向駆動状態を伝達歯と歯車とが係合している状態とするとともに、回動許容状態を伝達歯と歯車とが離間した状態とすることが望ましい。
【００１３】
操作力が加わらない場合において好適に回動レバーを好適に回動基端側に維持して操作力を好適に付与し得るものとするためには、回動許容状態を、回動レバーの動作範囲における回動基端側に設定するとともに、姿勢維持手段を回動終端側から回動基端側へ回動レバーを弾性付勢する弾性部材とすることが望ましい。
【００１４】
単純な構成によって往復動作を正方向又は逆方向への駆動力へと変換し得る具体的な構成として、正方向駆動手段又は逆方向駆動手段を、伝達歯と係合した歯車の往復動作のうち記正方向又は逆方向の回動のみを巻取軸支持手段又は巻出軸支持手段へと伝え得る一方向クラッチ部を有するものとすれば好ましい。
【００１５】
巻取軸又は巻出軸を両端で安定して支持し得るものとするためには、巻取軸支持手段又は巻出軸支持手段を、巻出軸又は巻取軸の一端側を支持し正方向駆動手段又は逆方向駆動手段からの駆動力を巻取軸又は巻出軸へ伝達し得る駆動力伝達部と、他端側を支持する巻取軸支持部又は巻出軸支持部とを有するものとすれば好ましい。
【００１６】
巻出軸並びに巻取軸の不意な反対方向への回動を抑止して、巻出軸又は巻取軸の位置を好適に維持するためには、巻取軸支持部又は巻出軸支持部を、節度機構を有するものとすればよい。また、斯かる効果を好適に得るためには、上述の節度機構の他に、巻出軸又は巻取軸の位置を保持し得る仮保持手段を設けることが好ましい。
【００１７】
斯かる構成の巻取装置を適用した、本発明に係る転写式粘着材料を被着体に転写するための転写補助装置は、少なくとも柔軟性を有し転写式粘着材料を支持して被着体を圧着する圧着面に粘着体を転写し得る被圧着転写面を形成するステージと、前記転写式粘着材料を基端側から巻回保持する巻出軸を回動可能に支持し得る巻出軸支持手段と、前記転写式粘着材料の先端側を保持し且つ当該転写式粘着材料を巻取り得る巻取軸を回動可能に支持し得る巻取軸支持手段と、前記巻回物を基端側から先端側への正方向へ移動させるための往復動作による操作力を受け付けるとともに前記巻取軸を回動させ得る駆動状態及び前記巻取軸の少なくとも前記正方向とは逆方向の回動を許容する回動許容状態をとり得る正方向操作手段と、前記正方向操作部が受け付けた往復動作による操作力を前記巻取軸支持手段に対する前記正方向への駆動力へと変換し得る正方向駆動手段と、前記巻回物を前記正方向とは逆方向へ移動させるための往復動作による操作力を受け付けるけるとともに前記巻出軸を回動させ得る駆動状態及び前記巻出軸の少なくとも前記正方向の回動を許容する回動許容状態をとり得る逆方向操作手段と、前記正方向操作部が受け付けた往復動作による操作力を前記巻出軸支持手段に対する前記逆方向への駆動力へと変換し得る逆方向駆動手段と、前記正方向操作手段及び前記逆方向操作手段を前記回動許容状態に維持し得る姿勢維持手段とを少なくとも具備することを特徴とするものである。
【００１８】
特に、巻出軸の不意な反対方向への回動並びに慣性による巻出軸の過度な回動による転写式粘着材料のたるみを好適に抑止するためには、巻取軸又は巻出軸の回動位置を保持し得る位置保持手段を更に設けることが望ましい。そして具体的な構成としては、当該位置保持手段を、巻取軸又は巻出軸に圧接する摩擦制動部とすることが好ましい。
【発明の効果】
【００１９】
本発明に係る巻取装置によれば、正方向駆動手段並びに逆方向駆動手段による往復動作といった単純な動作を正方向並びに逆方向の駆動力へと好適に伝達することがすることができる。しかも、他方の駆動手段による駆動に一方の駆動手段が干渉することを有効に回避することができる。
【００２０】
そして斯かる巻取装置に係る構成を適用した転写補助製品によれば、転写式粘着材料を正方向並びに逆方向に移動させることにより、往復動作という単純な動作を利用して、転写式粘着材料を好適に正方向に引き出して得るものとすることができるとともに、一度巻き取った転写式粘着材料を再び逆方向に引き出すことができるので、転写式粘着材料が有する粘着体を有効に利用することが可能となる。
【発明を実施するための最良の形態】
【００２１】
以下、本発明の一実施の形態について図面を参照して説明する。
【００２２】
本実施形態に係る転写補助製品Ａを図１及び図２に示す。
【００２３】
この転写補助製品Ａは、図１及び図２に示すように、転写式粘着材料Ｔを後述するステージＳＴ上に配置することによって、例えば紙片、ナットやワッシャ等の部品や、他の物品をステージＳＴ上に圧着させて、その圧着面に粘着体ｇを転写するためのものである。言い換えれば、ステージＳＴ上に、圧着面に粘着体ｇを転写し得る被圧着転写面Ｚを形成しているものである。そして本実施形態で採用している転写式粘着材料Ｔは、同図に示すように、後述する巻出軸２１並びに巻取軸２２に架けて巻回した帯状の剥離基材ｔ上に、粘着体ｇを間欠状たるドットパターンで配置しているものである。このようにすることによって、物品の圧着面にドットパターン状に粘着体ｇを転写することにとなり、例えば剥離基材ｔに粘着剤を均一塗布したものに比べて圧着面に対する粘着体ｇのはみ出しを有効に回避し、所謂優れた糊切れ性能を発揮しているものである。また言い換えれば、圧着面に合わせた粘着剤の型どりという手間を回避しつつ好適に圧着面に沿って粘着体ｇを好適に転写し得るものとなっている。
【００２４】
ここで、本実施形態に係る転写補助製品Ａは、上述のステージＳＴに加えて、巻回物たる転写式粘着材料Ｔを巻回保持する巻出軸２１並びに巻取軸２２を回動可能に支持し得る巻出軸支持手段１１並びに巻取軸支持手段１２と、転写式粘着材料Ｔを基端側から先端側への正方向並びに逆方向へ移動させるための往復動作による操作力を受け付けて巻出軸２１並びに巻取軸２２を駆動し得る駆動状態（Ｅ）と、駆動する方向とは反対の方向への回動を許容する回動許容状態（Ｎ）をとり得る正方向操作手段たる正方向レバー１３並びに逆方向操作手段たる逆方向レバー１４と、往復動作による操作力を正方向並びに逆方向への駆動力へと変換し得る正方向駆動手段１５並びに逆方向駆動手段１６と、回動許容状態（Ｎ）を維持し得る姿勢維持手段１７とを有する本発明に係る巻取装置１の構造を採用しているものである。
【００２５】
なお本明細書において、「正方向」を、転写式粘着材料Ｔを後述する巻出軸２１から巻取軸２２へ移動させる方向とし、「逆方向」を、巻取軸２２から巻出軸２１へ移動させる方向とする。
【００２６】
以下、転写補助製品Ａの具体的な構造について具体的に説明する。
【００２７】
転写補助製品Ａは、図１及び図２に示すように、装置本体Ａ１と、カバーＡ２とを有し、図１においてカバーＡ２を閉めた状態、図２においてカバーＡ２を開けた状態を図示している。
【００２８】
装置本体Ａ１は、当該装置本体Ａ１の主体をなす後に詳述する巻取装置１の内側に、図３に示すホルダ２を保持し、当該ホルダ２に巻出軸２１並びに巻取軸２２を保持してなるものである。
【００２９】
ホルダ２は、図３及び図４に示すように、ホルダ２の上面部分において転写式粘着材料Ｔを支持する粘着材料支持部２５と、巻出軸２１並びに巻取軸２２を仮保持するホルダ部２６と、巻取軸２２並びに巻出軸２１の回動位置を保持し得る位置保持手段たる摩擦制動部２７を有している。
【００３０】
巻出軸２１及び巻取軸２２は、図３、図４及び図５に示すように、帯状の転写式粘着材料Ｔを巻回した筒状の芯材２０の両端に軸カバー２４を取り付けたものである。なお巻出軸２１及び巻取軸２２を当該ホルダ２に最初に取り付けた状態では巻出軸２１は芯材２０に転写式粘着材料Ｔを所定量巻回した状態となり、巻取軸２２は転写式粘着材料Ｔの先端を芯材２０に固定したのみの状態となっている。そして軸カバー２４は、芯材２０に取り付ける取付部２４１と、後述する圧接部材２７１に接する外周部２４２と、ホルダ２に仮支持される仮支持部２４３と、当該仮支持部２４３の内側において後述する巻出軸支持手段１１並びに巻取軸支持手段１２に取り付けられる被取付部２４４とからなるものである。そして被取付部２４４の表面は巻出軸支持部１１２並びに巻取軸支持部１２２に係り合って好適に回動し得るように凹凸形状を成している。
【００３１】
粘着材料支持部２５は、同図に示すように、ホルダ２の上面をなす上板部２５０と、当該上板部２５０の中央に配置され、例えば柔軟性を有するウレタン素材によってなるステージＳＴを有している。そして当該ステージＳＴ上に転写式粘着材料Ｔを配置することにより、物品の圧着面に均一に圧着力を付与し得るものとして、好適に粘着体ｇを転写し得る被圧着転写面Ｚを構成しうるものとなっている。
【００３２】
ホルダ部２６は、同図に示すように、ホルダ２の外形を軸カバー２４の仮支持部２４３の形状に略合致させてなるとともに、軸カバー２４を支持した状態において仮支持部２４３の脱落を防止する抜け止め突起２６１を形成している。
【００３３】
摩擦制動部２７は、図４に示すように、上板部２５０の下面側に圧接部材２７１を取り付けてなるものである。そして当該圧接部材２７１は、巻取軸２２カバーＡ２並びに巻取り軸カバー２４の外周部２４２に弾性反発力を蓄積した状態で圧接し得るものである。また圧接部材２７１は巻出軸２１並びに巻取軸２２の両端に計４カ所に設けている。
【００３４】
そして図３に示すように、ステージＳＴ上に転写式粘着材料Ｔを架け渡してホルダ部２６に巻取軸２２及び巻出軸２１を取り付けた状態として、以下に詳述する巻取装置１に装着される。
【００３５】
巻取装置１は、図１、図２、図５、図６及び図７に示すように、巻出軸支持手段１１と、巻取軸支持手段１２と、正方向操作手段たる正方向レバー１３と、逆方向操作手段たる逆方向レバー１４と、正方向駆動手段１５と、逆方向駆動手段１６と、姿勢維持手段１７とによって主に構成されるものである。
【００３６】
巻出軸支持手段１１は、図５に示すように、巻出軸２１を回動可能に支持し得るものであり、逆方向駆動手段１６からの駆動力を巻出軸２１へ伝達し得る駆動力伝達部１１１と巻出軸支持部１１２とを有している。駆動力伝達部１１１は、巻出軸２１の一端側において軸カバー２４の被取付部２４４の内側に係り合いながら逆方向駆動手段１６からの駆動力によって回動することにより、当該駆動力を巻出軸２１へ伝達するものである。巻出軸支持部１１２は巻出軸２１の他端側において軸カバー２４の被取付部２４４に係り合うとともに、節度機構１１２ａを有することにより、巻出軸２１の回動位置を保持し、過度な回転によるたるみ等を抑制するものである。また、当該巻出軸２１の回動位置を好適に保持する他の態様として、摩擦等を利用することにより、巻出軸の回動位置を保持し得る位置保持手段を別途設けたものとしてもよい。
【００３７】
巻取軸支持手段１２は、図５に示すように、上述の巻出軸支持手段１１とそれぞれの配置が略反転した構成となっている。すなわち、巻取軸２２を回動可能に支持し得るものであり、正方向駆動手段１５からの駆動力を巻取軸２２へ伝達し得る駆動力伝達部１２１と巻取軸支持部１２２とを有している。駆動力伝達部１２１は、巻取軸２２の一端側において軸カバー２４の被取付部２４４の内側に係り合いながら正方向駆動手段１５からの駆動力によって回動することにより、当該駆動力を巻取軸２２へ伝達するものである。巻取軸支持部１２２は巻取軸２２の他端側において軸カバー２４の被取付部２４４に係り合うとともに、節度機構１２２ａを有することにより、巻出軸２１の回動位置を保持し、巻取軸２２の不意な反転によるたるみ等を抑制するものである。また、当該巻出軸２２の回動位置を好適に保持する他の態様として、上述同様に、摩擦等を利用した位置保持手段を別途設けたものとしてもよい。
【００３８】
しかして本実施形態に係る転写補助製品Ａに採用した巻取装置１は、図５、図６及び図７に示すように、以下に詳述する正方向操作手段たる正方向レバー１３と、正方向駆動手段１５と、逆方向操作手段たる逆方向レバー１４と、逆方向駆動手段１６と、姿勢維持手段１７とを有することにより、往復動作による操作力を好適に正方向又は逆方向への駆動力へと変換し、転写式粘着材料Ｔを両方向に好適に送り得るものとなっている。
【００３９】
正方向レバー１３は、図５及び図６に示すように、上下方向に係る操作力を受け付ける入力端部１３１と、当該入力端部１３１が受けた動作力を正方向駆動手段１５へと伝達する伝達部１３２と、回動中心を構成する取付軸部１３３とを有するものとしている。ここで入力端部１３１は、図１、図２にも示すように、後述する弾性部材ＳＰによって、操作力を付与していない状態では回動基端部である上端に位置付けられ且つ伝達部１３２が正方向駆動手段１５と係り合わない回動許容状態（Ｎ）をなしている。当該弾性部材ＳＰにより、入力端部１３１に上側から下側への一方方向の操作力を付与すれば正方向レバー１３は往復動作をすることとなる（図６）。伝達部１３２は、取付軸部１３３付近に位置付けられ且つ正方向駆動手段１５における後述する歯車部１５１に噛合い得る伝達歯１３２ａからなるものである。そして当該正方向レバー１３は、入力端部１３１と取付軸部１３３との間の入力寸法Ｉを、伝達部１３２と取付軸部１３３との間の出力寸法Ｏよりも大きく設定しているものとしている。
【００４０】
正方向駆動手段１５は、図５及び図６に示すように、正方向レバー１３が受け付けた往復動作による操作力を巻取軸支持手段１２に対する正方向への駆動力へと変換し得るものである。具体的には正方向駆動手段１５は、上述した伝達歯１３２ａと噛合い得る歯車部１５１と、歯車部１５１と同軸に設けられるとともに、歯車の回動のうち片側方向に係る回動のみを上述の駆動力伝達部１２１へと伝達し得る一方向クラッチ部１５２とを有している。なお一方向クラッチ部１５２の具体的な構成は、既知の構成を採用しているため、本明細書における詳細な説明を省略するものとする。
【００４１】
逆方向レバー１４は、図５及び図７に示すように、具体的な外形を除いては上述の正方向レバー１３と同様の構成を有しているものである。すなわち逆方向レバー１４は、上下方向に係る操作力を受け付ける入力端部１４１と、当該入力端部１４１が受けた動作力を逆方向駆動手段１６へと伝達する伝達部１４２と、回動中心を構成する取付軸部１４３とを有するものとしている。ここで入力端部１４１は弾性部材ＳＰによって、操作力を付与していない状態では回動基端部である上端に位置付けられ且つ伝達部１４２が逆方向駆動手段１６と係り合わない回動許容状態（Ｎ）をなしている。当該弾性部材ＳＰにより、入力端部１４１には上側から下側への一方方向の操作力を付与すれば逆方向レバー１４は往復動作をすることとなる（図７）。伝達部１４２は、取付軸部１４３付近に位置付けられ且つ逆方向駆動手段１６における後述する歯車部１６１に噛合い得る伝達歯１４２ａからなるものである。そして当該逆方向レバー１４についても、入力端部１４１と取付軸部１４３との間の入力寸法Ｉを、伝達部１４２と取付軸部１４３との間の出力寸法Ｏよりも大きく設定しているものとしている。
【００４２】
逆方向駆動手段１６は、図５及び図７に示すように、逆方向レバー１４が受け付けた往復動作による操作力を巻出軸支持手段１１に対する逆方向への駆動力へと変換し得るものである。具体的には逆方向駆動手段１６は、上述した伝達歯１４２ａと噛合い得る第一歯車１６１ａと第二歯車１６１ｂからなる歯車部１６１と、第二歯車１６１ｂと同軸に設けられるとともに、歯車の回動のうち片側方向に係る回動のみを上述の駆動力伝達部１１１へと伝達し得る一方向クラッチ部１６２とを有している。
【００４３】
姿勢維持手段１７は、図６及び図７に示すように、正方向レバー１３及び逆方向レバー１４を回動許容状態（Ｎ）に維持し得るものである。具体的には、同図に示すように、正方向レバー１３及び逆方向レバー１４を回動始端側である上端へと付勢する弾性部材ＳＰによって構成している。そして上述の通り、正方向レバー１３並びに逆方向レバー１４は、上端において伝達部１３２、１４２が歯車部１５１又は第一歯車１６１ａとが離間した回動許容状態（Ｎ）となっている。
【００４４】
そして図６に示すように、正方向レバー１３に操作力を付与し入力端部１３１を下方向へ移動させると、同図に想像線で示すような駆動状態（Ｅ）となり、伝達歯１３２ａが歯車部１５１と噛合いながら下方へ移動することにより歯車部１５１が回動し、当該回動に係る作用力が一方向クラッチ１５２部並びに駆動力伝達部１２１を介して巻取軸２２へと伝達され、巻取軸２２が回動し、転写式粘着材料Ｔを巻き取ることにより当該転写式粘着材料Ｔを正方向へ移動する。一方入力端部１３１への操作力を解除すれば弾性部材ＳＰによって入力端部１３１は上端へ移動する。このとき、当該動作に係る伝達歯１３２ａの動作によって歯車部１５１は上記とは反対方向へ回動することとなるが、一方向クラッチ部１５２が駆動力伝達部１２１へ当該回転を伝達させずに所謂空回りをさせることによって、巻取軸２２が反対の方向へ回動することはない。
【００４５】
一方図７に示すように、逆方向レバー１４においても、当該逆方向レバー１４に操作力を付与されて入力端部１４１が下方向へ移動すると、同図に想像線で示すよう駆動状態（Ｅ）となり、伝達歯１４２ａが第一歯車１６１ａと噛合いながら下方へ移動することにより第二歯車１６１ｂが回動し、当該回動に係る作用力が一方向クラッチ部１６２並びに駆動力伝達部１１１を介して巻出軸２１へと伝達され、しかる後、巻出軸２１が回動し、転写式粘着材料Ｔを逆方向に巻き取ることにより当該転写式粘着材料Ｔを逆方向へ移動する。一方入力端部１４１への操作力を解除すれば弾性部材ＳＰによって入力端部１４１は上端へ移動する。このとき、当該動作に係る伝達歯１４２ａの動作によって歯車部１６１は上記とは反対方向へ回動することとなるが、一方向クラッチ部１６２が駆動力伝達部１１１へ当該回転を伝達させずに所謂空回りをさせることによって、巻出軸２１が反対の方向へ回動することはない。
【００４６】
このように、本実施形態に係る転写補助製品Ａは、上述の巻取装置１を採用することにより、正方向レバー１３並びに逆方向レバー１４をそれぞれ上から下へ移動させるという簡単な動作により往復動作が実現され、当該往復動作によって、好適に転写式粘着材料Ｔを正方向並びに逆方向へ移動させることができるものである。しかも、他方の駆動手段による駆動に一方の駆動手段が干渉することを有効に回避し得たものとなっている。
【００４７】
そして斯かる巻取装置１に係る構成を適用した転写補助製品Ａによれば、転写式粘着材料Ｔを正方向並びに逆方向に移動させることにより、往復動作という単純な動作を利用して、転写式粘着材料Ｔを好適に正方向に引き出して得るものとすることができるとともに、一度巻き取った転写式粘着材料Ｔを再び逆方向に引き出すことができるので、転写式粘着材料Ｔが有する粘着体ｇを有効に利用し得るものとなっている。
【００４８】
そして、正方向レバー１３並びに逆方向レバー１４を、回転動作する所謂回動レバーとしているので、回動動作を利用することにより、単純な構成で精度の高い動作を実現するとともに、操作力を巻出軸２１並びに巻取軸２２の回転動作へ好適に変換し得るものとなっている。
【００４９】
また、正方向レバー１３並びに逆方向レバー１４において、入力端部１３１、１４１と取付軸部１３３、１４３との間の入力寸法Ｉを、伝達部１３２、１４２と取付軸部１３３、１４３との間の出力寸法Ｏよりも大きく設定しているため、いわゆる「てこの原理」により、小さい操作力をより大きな駆動力へと変換し得るものとすることができるので、より軽い操作感を与えることができる。特に本実施形態では転写式粘着材料Ｔを巻回した巻出軸２１又は巻取軸２２を回動させるため、粘着体ｇの粘着力が剥離基材ｔから剥離される際に必要な力が、粘着体ｇを有しない帯状物に比べて大きな駆動力を必要とするが、当該構成により、軽い操作力で大きな駆動力を得る事を実現している。
【００５０】
さらに、駆動状態（Ｅ）を伝達歯１３２ａ、１４２ａと歯車部１５１、１６１とが係合している状態とするとともに、回動許容状態（Ｎ）を伝達歯１３２ａ、１４２ａと歯車部１５１、１６１とが離間した状態としているので、駆動状態（Ｅ）と回動許容状態（Ｎ）とを好適に切り換えものとなっている。
【００５１】
そして本実施形態では、正方向レバー１３並びに逆方向レバー１４の動作範囲における回動基端側に回動許容状態（Ｎ）を設定し、姿勢維持手段１７たる弾性部材ＳＰを当該回動始端へ弾性付勢させたものとしているので、操作力が加わらない場合において好適に正方向レバー１３並びに逆方向レバー１４を好適に回動基端側に維持して操作力を好適に付与し得るものとすることができる。また、姿勢維持手段１７を弾性部材ＳＰとすることにより、正方向レバー１３並びに逆方向レバー１４を回動終端側へ操作すれば、弾性部材ＳＰの弾性反発力により好適に回動基端側へ戻すことができ、正方向レバー１３並びに逆方向レバー１４に対する一方方向の操作力を付与するのみで、正方向レバー１３並びに逆方向レバー１４を好適に往復動作させることができる。
【００５２】
加えて、正方向駆動手段１５並びに逆方向駆動手段１６を、一方向クラッチ部１５１、１６１を有するものとしているので、単純な構成によって往復動作を正方向又は逆方向といった所定の一方向の駆動力へと変換し得るものとなっている。
【００５３】
さらに、巻取軸支持手段１２並びに巻出軸支持手段１１を、巻出軸２１又は巻取軸２２の一端側を支持する駆動力伝達部１１１と、他端側を支持する巻取軸支持部１２２と巻取軸支持部１２２とを有するものとして、巻取軸２２並びに巻出軸２１を両端から安定して支持し得るものとしている。特に巻取軸支持部１２２並びに巻出軸支持部１１２を、節度機構１１２ａを有するものとしているので、巻出軸２１並びに巻取軸２２の不意な反対方向への回動を抑止することにより巻出軸２１又は巻取軸２２の位置を好適に維持して、転写式粘着材料Ｔのたるみやねじれを好適に防止し得るものとなっている。
【００５４】
そして本実施形態に係る転写補助製品Ａは、巻取軸２２又は巻出軸２１の回動位置を保持し得る位置保持手段を更に有するため、巻出軸２１並びに巻取軸２２の不意な反対方向への回動を抑止して、巻出軸２１又は巻取軸２２の位置を好適に維持している。具体的には、当該位置保持手段を、摩擦によって巻出軸２１並びに巻取軸２２を制動する摩擦制動部２７とし、詳細には軸カバー２４の外周部２４２に圧接する圧接部材２７１としているため、斯かる効果を好適に獲得し得るものとなっている。
【００５５】
以上、本発明の実施形態について説明したが、各部の具体的な構成は、上述した実施形態のみに限定されるものではなく、本発明の趣旨を逸脱しない範囲で種々変形が可能である。
【００５６】
例えば、上記実施形態においては往復動作における一方向の動作のみを伝達するために一方向クラッチを採用していたが、当該一方向クラッチの他に、歯車における歯の角度によって一方向のみ噛合し、他方向には空回りさせ得る構成等を採用してもよい。また、上記実施形態では巻出軸並びに巻取軸は巻回した転写式粘着材料を介してのみ連動し得る構成としていたが、別途歯車やプーリ等を採用することにより、巻出軸並びに巻取軸を連動させ得る格別の機構を採用しても良い。
【００５７】
その他、各部の具体的構成についても上記実施形態に限られるものではなく、本発明の趣旨を逸脱しない範囲で種々変形が可能である。
【図面の簡単な説明】
【００５８】
【図１】本発明の一実施形態に係る転写補助製品を示す外観図。
【図２】同上。
【図３】同実施形態に係るホルダを示す外観図。
【図４】同ホルダを示す模式的な断面図。
【図５】同実施形態に係る転写補助製品を示す構成説明図。
【図６】同実施形態に係る巻取装置を示す構成説明図。
【図７】同上。
【符号の説明】
【００５９】
１…巻取装置
１１…巻出軸支持手段
１１１、１２１…駆動力伝達部
１１２…巻出軸支持部
１１２ａ、１２２ａ…節度機構
１２…巻取軸支持手段
１２２…巻取軸支持部
１３…正方向操作手段、回動レバー（正方向レバー）
１３１、１４１…入力端部
１３２、１４２…伝達部
１３２ａ、１４２ａ…伝達歯
１３３、１４３…取付軸部
１４…逆方向操作手段、回動レバー（逆方向レバー）
１５…正方向駆動手段
１５１、１６１…歯車（歯車部）
１５２、１６２…一方向クラッチ部
１６…逆方向駆動手段
１７…姿勢維持手段
２１…巻出軸
２２…巻取軸
２７…位置保持手段、摩擦制動部（摩擦制動部）
Ａ…転写補助製品
Ｅ…駆動状態
Ｎ…回動許容状態
Ｉ…入力寸法
Ｏ…出力寸法
ＳＰ…弾性部材
ｇ…粘着体
ＳＴ…ステージ
Ｔ…転写式粘着材料、巻回物（転写式粘着材料）
Ｚ…被圧着転写面
【図１】
2008001446.tif 000003
【図２】
2008001446.tif 000004
【図３】
2008001446.tif 000005
【図４】
2008001446.tif 000006
【図５】
2008001446.tif 000007
【図６】
2008001446.tif 000008
【図７】
2008001446.tif 000009